(57)【要約】【課題】異なる管部に対しても設計変更することなく光センサを簡単な構成で配置できる電気掃除機を提供する。【解決手段】電動送風機および電動送風機の吸込側に連通する本体集塵室33を備えた掃除機本体を有する。本体集塵室33に連通して掃除機本体に接続管部15を着脱可能に接続する管部12を有する。発光する発光部71、および、発光部71に対向し発光部71からの発光を受光する受光部72を備え、発光部71と受光部72との間を通過する塵埃量を検出する光センサ68を有する。掃除機本体は、本体集塵室33に連通する本体吸込口部41と、管部12の接続管部15を挿入することで本体集塵室33内へと突出するように移動するとともに、管部12の接続管部15を取り外した状態で本体吸込口部41内へと収納する筒部42とを備える。光センサ68を筒部42に配置する。【選択図】図１
2012050573.tif 000002
【特許請求の範囲】
【請求項１】
電動送風機およびこの電動送風機の吸込側に連通する集塵室を備えた掃除機本体と、
前記集塵室に連通して前記掃除機本体に一端側が着脱可能に接続される風路形成体と、
発光する発光部、および、この発光部に対向して配置されこの発光部からの発光を受光する受光部を備え、これら発光部と受光部との間を通過する塵埃量を検出する光センサとを具備し、
前記掃除機本体は、
前記集塵室に連通する本体吸込口部と、
この本体吸込口部に移動可能に配置され、前記風路形成体の一端側が挿入されることで前記集塵室内へと突出するように移動するとともに、前記風路形成体の一端側を取り外した状態で前記本体吸込口部内へと収納される筒部とを備え、
前記光センサは、前記筒部に配置されている
ことを特徴とした電気掃除機。
【請求項２】
集塵室に所定の集塵袋を除く集塵部を取り付けた状態では筒部の移動を規制するとともに、前記集塵室に前記所定の集塵袋を取り付けた状態ではこの集塵袋の口枠により位置が規制されて前記筒部の前記集塵室内への移動を可能とする規制手段を具備している
ことを特徴とした請求項１記載の電気掃除機。
【請求項３】
筒部と集塵室との間を気密に閉塞するとともに、前記筒部を本体吸込口部に対して付勢するシール手段を具備している
ことを特徴とした請求項１または２記載の電気掃除機。
【発明の詳細な説明】
【技術分野】
【０００１】
本発明の実施形態は、風路を通過する塵埃量を検出する光センサを備えた電気掃除機に関する。
【背景技術】
【０００２】
従来、例えばキャニスタ型の電気掃除機は、電動送風機を収容した掃除機本体を備えている。この掃除機本体には、電動送風機の吸込側に連通する集塵部が配置されており、この集塵部には風路形成体が着脱可能に接続される。この風路形成体は、例えばホース体、延長管および吸込口体としての床ブラシなどが順次連通接続されて構成されている。そして、例えば床ブラシなどにより掃除をしている床面の塵埃量、すなわち風路に吸い込んだ塵埃量を光センサによって検出し、その塵埃量が所定量以上であるかどうか、すなわち塵埃が多いかどうかを検出して使用者に報知する。
【先行技術文献】
【特許文献】
【０００３】
【特許文献１】特開２００１−２１２０５０号公報
【発明の概要】
【発明が解決しようとする課題】
【０００４】
光センサにより風路内を通過する塵埃量を検出する際には、光センサの発光部と受光部とを、風路を挟んで互いに対向させた状態で配置する必要がある。
【０００５】
一方で、風路形成体は、掃除機本体に配置される集塵部に対して端部が挿入される長さのものや、集塵部に対して端部が挿入されない長さのものがある。
【０００６】
したがって、それら異なる風路形成体に対して、光センサの配置などを含む構成の簡略化が望まれている。
【０００７】
本発明は、このような点に鑑みなされたもので、異なる風路形成体に対しても設計変更することなく光センサを簡単な構成で配置できる電気掃除機を提供することを目的とする。
【課題を解決するための手段】
【０００８】
実施形態の電気掃除機は、電動送風機およびこの電動送風機の吸込側に連通する集塵室を備えた掃除機本体を有する。また、電気掃除機は、集塵室に連通して掃除機本体に一端側が着脱可能に接続される風路形成体を有する。さらに、電気掃除機は、発光する発光部、および、この発光部に対向して配置されこの発光部からの発光を受光する受光部を備え、これら発光部と受光部との間を通過する塵埃量を検出する光センサを有する。また、掃除機本体は、集塵室に連通する本体吸込口部を備える。さらに、掃除機本体は、本体吸込口部に移動可能に配置され、風路形成体の一端側が挿入されることで集塵室内へと突出するように移動するとともに、風路形成体の一端側を取り外した状態で本体吸込口部内へと収納される筒部を備える。そして、光センサは、筒部に配置されている。
【図面の簡単な説明】
【０００９】
【図１】第１の実施形態の電気掃除機の相対的に長い風路形成体を接続した状態の一部を模式的に示す縦断面図である。
【図２】同上電気掃除機の相対的に短い風路形成体を接続した状態の一部を模式的に示す縦断面図である。
【図３】同上電気掃除機の内部構造を示すブロック図である。
【図４】同上電気掃除機を示す斜視図である。
【図５】第２の実施形態の電気掃除機の相対的に長い風路形成体を接続し集塵袋を取り付けた状態での一部を模式的に示す縦断面図である。
【図６】同上電気掃除機の相対的に長い風路形成体を接続し集塵部を取り付けた状態での一部を模式的に示す縦断面図である。
【図７】同上電気掃除機の相対的に短い風路形成体を接続し集塵袋を取り付けた状態での一部を模式的に示す縦断面図である。
【図８】同上電気掃除機の相対的に短い風路形成体を接続し集塵部を取り付けた状態での一部を模式的に示す縦断面図である。
【発明を実施するための形態】
【００１０】
以下、第１の実施形態の構成を図１ないし図４を参照して説明する。
【００１１】
図４において、11は電気掃除機を示し、この電気掃除機11は、被掃除面である床面上を走行可能な、いわゆるキャニスタ型の電気掃除機である。そして、この電気掃除機11は、風路形成体としての管部12と、この管部12が着脱可能に接続される掃除機本体13とを有している。
【００１２】
管部12は、一端側に位置し掃除機本体13に接続される接続部である接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１３】
手元操作部17には、把持部21がホース体16側へと突出して形成され、この把持部21には、操作用の設定ボタン22が複数配置されている。
【００１４】
接続管部15は、図２に示すように相対的に長さが短い(一方の)接続管部15aと、図１に示すように相対的に長さが長い(他方の)接続管部15bとの互いに異なる２種類がある。そして、これら接続管部15a，15bを有する風路形成体を、以下、管部12a，12bというものとする。
【００１５】
各接続管部15a，15bの上部には、管部12a，12bを掃除機本体13に係止するための(一方および他方の)係止手段としてのクランプ23a，23bが取り付けられている。このクランプ23a，23bは、付勢部材であるコイルばね24a，24bにより上方に向けて付勢されていることにより、管部12a，12bの掃除機本体13への係止を維持可能となっている。また、各接続管部15a，15bの外周には、クランプ23a，23bよりも下流側の位置に、径方向へと突出する位置決め用の(一方および他方の)位置決め突出部としての位置決め凸部25a，25bが形成されている。そして、各接続管部15a，15bには、図示しないが、管部12側と掃除機本体13側とを電気的に接続するための接続ピンが配置されている。これら接続ピンは、設定ボタン22などと電気的に接続されている。
【００１６】
また、掃除機本体13は、合成樹脂などにより中空状に形成された本体ケース26を備え、この本体ケース26の内部に形成された隔壁の後側に、電動送風機27およびこの電動送風機27の動作を制御する制御手段としての本体制御部28(図３)などを収容する電動送風機室、および、電動送風機27などに給電するための図示しない電源部を収容する図示しない電源室とが区画されているとともに、隔壁の前側に、この隔壁に設けられた連通口を介して電動送風機27の吸込側に連通する集塵室としての本体集塵室33が区画され、この本体集塵室33に、例えば使い捨ての集塵袋34が着脱可能に取り付けられる。
【００１７】
集塵袋34は、図１および図２に示すように、口枠36と、この口枠36に一体的に取り付けられた袋体37とを備えている。口枠36は、例えば硬質の紙材などによって四角形板状に形成されており、中央部に円形状の吸込開口38が開口形成され、この吸込開口38に可撓性を有するシール弁39が取り付けられている。なお、このシール弁39は、必須の構成ではない。また、袋体37は、口枠36よりも軟質で通気性を有する濾材により形成され、吸込開口38に連通して取り付けられている。そして、この集塵袋34は、本体集塵室33に配置された図示しない集塵袋係止手段によって本体集塵室33に係止保持可能となっている。
【００１８】
また、本体ケース26は、本体吸込口部41を前部に備えており、この本体吸込口部41の内部に筒部42が移動可能に配置されている。また、この本体ケース26は、図４に示すように、本体集塵室33を開閉可能な本体蓋43を前側の上部に備えている。さらに、この本体ケース26の後部には、電動送風機室に連通する図示しない排気孔が複数形成されている。
【００１９】
そして、図１および図２に示すように、本体吸込口部41は、本体ケース26の前部に開口され本体集塵室33に連通する本体吸込口44を覆って本体ケース26の前部に取り付けられたカバー体である。
【００２０】
ここで、本体吸込口44には、筒部42の基端側である下流側が挿入されており、この筒部42との隙間を気密に閉塞する吸込口シール部材47が内部に取り付けられている。
【００２１】
また、本体吸込口部41は、例えば合成樹脂などの部材により筒状に形成されており、上流端である前端に、管部12(管部12a，12b)の接続管部15(接続管部15a，15b)の基端側(下流端側)が挿入されて接続される接続口51が開口形成されている。さらに、この本体吸込口部41の内部には、接続口51の後部でかつ本体ケース26の前方に、筒部42の前端側である上流端側を保持する筒状の保持部52が接続口51と同軸に形成されている。
【００２２】
接続口51は、例えば本体吸込口44と同軸に形成されている。また、接続口51の上縁部には、クランプ23a，23bが係合され、この係合により、管部12(管部12a，12b)が掃除機本体13の本体ケース26に係止されるように構成されている。
【００２３】
保持部52は、接続口51と気密に接続されている。また、この保持部52は、接続口51の後方(下流側)の位置に、この接続口51に対向する面状の位置決め部54を有しており、この位置決め部54には、接続口51と同軸に開口した挿入口55が形成されている。また、位置決め部54の後部(下流側)には、後方へと円筒状のガイド部56が挿入口55と同軸に連続して形成されており、このガイド部56の後方に離間された位置に規制部としての板状のストッパ部57が形成され、このストッパ部57に、接続口51および挿入口55と同軸に開口した開口58が形成されている。
【００２４】
位置決め部54は、保持部52の軸方向に対して交差(直交)する上下方向に沿って前後方向に面方向を有して形成されている。そして、この位置決め部54は、挿入口55の上流側(前側)の周縁部にて、接続管部15a，15bの位置決め凸部25a，25bが当接することで接続管部15a，15bの挿入を規制し、管部12a，12bの基端側を掃除機本体13に対して位置決めするように構成されている。
【００２５】
ガイド部56は、筒部42を前後方向、すなわち管部12a，12b(接続管部15a，15b)の掃除機本体13への接続方向に沿って移動可能にガイドする部分である。
【００２６】
ストッパ部57は、筒部42の移動範囲の後端(下流側の端部)を設定するものであり、位置決め部54と略平行に形成されており、ガイド部56の下方にて位置決め部54と連続している。
【００２７】
一方、筒部42は、下流端である基端(後端)を構成する円筒状の筒部摺動部61と、この筒部摺動部61の上流端である先端(前端)に連続する拡径部62と、この拡径部62の上流端である先端(前端)に連続する筒部本体部63とを有している。
【００２８】
筒部摺動部61は、円筒状に形成されており、本体吸込口44内に挿通され、吸込口シール部材47の外周面が摺接するように構成されている。そして、この筒部摺動部61は、筒部42が後方(風路Ｗの下流側)へと移動することにより本体吸込口44から本体集塵室33内へと挿入され、筒部42が前方(風路Ｗの上流側)へと最大に移動することにより本体集塵室33の外部に位置して本体吸込口部41内に収納されるように構成されている。
【００２９】
拡径部62は、筒部摺動部61側である基端側、すなわち下流側(後端側)から筒部本体部63側である先端側、すなわち上流側(前端側)へと徐々に拡径する円筒状に形成されている。
【００３０】
そして、筒部本体部63は、本体吸込口44よりも大きい径寸法を有する円筒状に形成されており、内部に管部12a，12bの基端側である接続管部15a，15bが挿入嵌合されるように構成されている。この筒部本体部63の内周面には、円環状のパッキンである筒部シール部材64が取り付けられ、この筒部シール部材64が挿入された接続管部15a，15bの外周面に圧接されることにより、管部12a，12b(接続管部15a，15b)と筒部42との間での気密を保つように構成されている。また、この筒部本体部63の外周には、ストッパ部57との当接により筒部42の移動範囲を規制する突出部65が形成されている。さらに、この筒部本体部63の外周部には、筒部42と本体集塵室33(本体吸込口44)とを気密に接続するシール手段としてのシールカバー66が配置されている。また、この筒部本体部63の内部には、管部12a，12bの接続管部15a，15bの先端側が突き当たる段差部67が中心軸方向へと突出して形成されている。そして、この筒部本体部63には、光センサ68が配置されている。
【００３１】
シールカバー66は、弾性を有する部材により、中央が径方向に膨出した円筒状に形成されており、一端側である前端側が筒部本体部63に気密に接続され、他端側である後端側が掃除機本体13の本体ケース26の前部に気密に接続されて筒部42の外方に位置している。そして、このシールカバー66は、筒部42を本体吸込口部41および掃除機本体13(本体ケース26)に対して前方すなわち上流側に向けて付勢するように構成されている。したがって、管部12(管部12a，12b)の内部から本体吸込口部41、筒部42、本体吸込口44、本体集塵室33および連通口に亘って、電動送風機27の吸込側に気密に接続される風路Ｗが区画されている。
【００３２】
光センサ68は、風路Ｗ内に向けて発光する発光部71と、この発光部71からの発光を受光する受光部72とを有している。そして、この光センサ68は、発光部71と受光部72との間、すなわち風路Ｗ内を通過する塵埃量を検出可能となっている。
【００３３】
発光部71は、筒部42の筒部本体部63の後部下側に配置されている。また、この発光部71は、筒部42に径方向に沿って配置された発光伝達体74と、この発光伝達体74に対向配置されたＬＥＤなどの発光素子である発光部本体75とを備えている。
【００３４】
発光伝達体74は、透光性を有する部材などにより形成されており、先端側が風路Ｗに臨み、基端側が発光部本体75に臨んで、発光部本体75からの発光を、風路Ｗを介して受光部72側へと伝達するものである。
【００３５】
また、受光部72は、筒部42の筒部本体部63の後部上側に配置されている。すなわち、この受光部72は、発光部71に対向して配置されている。また、この受光部72は、筒部42に径方向に沿って配置された受光伝達体77と、この受光伝達体77に対向配置されたフォトトランジスタなどの受光素子である受光部本体78とを備えている。
【００３６】
受光伝達体77は、透光性を有する部材などにより形成されており、先端側が風路Ｗに臨み、基端側が受光部本体78に臨んで、受光部71側からの光を受光部本体78へと伝達するものである。
【００３７】
そして、光センサ68は、図示しないリード線などを介して、発光部本体75および受光部本体78のそれぞれが図３に示す本体制御部28に電気的に接続されている。なお、このリード線は、例えば筒部42の外部に配置されており、筒部42の移動時の断線などを防止し電気的接続を維持できるように、予め長さに余裕が持たせてある。
【００３８】
本体制御部28は、例えばマイコンなどであり、例えば電動送風機27と光センサ68の発光部本体75とのそれぞれの動作を制御している。そして、この本体制御部28は、設定ボタン22により設定された動作モード(例えば、強モード、中モード、あるいは弱モードなど)で電動送風機27を駆動させるとともに、光センサ68の受光部72の受光部本体78で受光した光量に対応した信号値によって、光センサ68で検出した風路Ｗ内を通過する塵埃量を判断し、この判断した塵埃量に対応して電動送風機27の入力を各動作モードにおいて制御する。例えば、本体制御部28は、予め設定された閾値と上記信号値とを比較し、この信号値が閾値より大きい場合には、掃除すべき塵埃量が多いものと判断し、電動送風機27の入力を各動作モードにおいて相対的に高く設定し、信号値が閾値以下である場合には、掃除すべき塵埃量が少ないものと判断し、電動送風機27の入力を相対的に低く設定して省電力化および静音化を図る。
【００３９】
次に、上記第１の実施形態の作用を説明する。
【００４０】
掃除に際しては、本体蓋43により開いた本体集塵室33に集塵袋34を取り付け、かつ、管部12を掃除機本体13に対して接続した状態とする。
【００４１】
図１あるいは図２に示すように、接続管部15a，15bを本体吸込口部41の接続口51に挿入すると、接続管部15a，15bの端部が挿入口55を介して筒部42の筒部本体部63の内部に挿入される。このとき、筒部本体部63の内周面の筒部シール部材64が接続管部15a，15bの外周面に圧接されることにより、接続管部15a，15b(管部12a，12b)と筒部42とが気密に接続され、筒部本体部63の段差部67に接続管部15a，15bの端部が当接することにより筒部42が接続管部15a，15bの長さに応じてシールカバー66の付勢に抗して後方へと押し込まれて移動し、シールカバー66が収縮する。そして、筒部42の筒部摺動部61の端部は、集塵袋34の口枠36の吸込開口38からシール弁39を後方(袋体37の内方)へと可撓変形させつつ袋体37の内部へと挿入される。すなわち、筒部42は、下流側の一部である筒部摺動部61の後端部(下流端部)が本体吸込口44から本体集塵室33内へと移動する。なお、筒部摺動部61は、本体吸込口44の吸込口シール部材47に対して外周面が摺接することで、本体吸込口44と筒部42との気密が保たれ、シール弁39が外周面に圧接されることで、吸込開口38(集塵袋34)との気密が保たれる。
【００４２】
さらに、接続管部15a，15bは、位置決め凸部25a，25bが位置決め部54の前面に当接することにより、挿入位置が規制されることで、筒部42の移動が停止する。この状態で、クランプ23a，23bを接続口51の上縁部に係合させることで、接続管部15a，15b(管部12a，12b)が掃除機本体13に固定される。
【００４３】
そして、使用者は、把持部21を把持し、所望の設定ボタン22を操作することにより、本体制御部28が電動送風機27を所望の動作モードで動作させる。
【００４４】
本体制御部28は、光センサ68により検出した風路Ｗ内を通過する塵埃量に対応して、電動送風機27の入力を各動作モードにおいて変化させる。
【００４５】
電動送風機27の駆動により生じた負圧は、風路Ｗに作用し、管部12の先端から空気とともに吸い込まれた塵埃は、管部12の接続管部15から筒部42を介して掃除機本体13の本体集塵室33の集塵袋34の袋体37の内部へと吸い込まれ、この袋体37によって塵埃が濾過捕集される。
【００４６】
塵埃が捕集された空気は、さらに連通口を介して電動送風機27の内部へと吸い込まれ、この電動送風機27を冷却した後、排気風となって排気口から掃除機本体13(本体ケース26)の外部へと排気される。
【００４７】
掃除が終了すると、使用者が設定ボタン22(図４)を操作することにより、本体制御部28が電動送風機27などを停止させる(図３)。
【００４８】
集塵袋34の袋体37に所定量以上の塵埃が溜まった場合には、本体集塵室33から集塵袋34を取り外して廃棄する。その際、使用者は、まず、クランプ23a，23bをコイルばね24a，24bの付勢に抗して下方へと押し操作することにより、管部12a，12b(接続管部15a，15b)の掃除機本体13への係止を解除し、接続管部15a，15bを接続口51から引き抜くことで、管部12a，12bを掃除機本体13から取り外す。
【００４９】
このとき、シールカバー66の復帰の際の付勢(伸張)により、筒部42は前方へと復帰するように移動することで、筒部摺動部61が集塵袋34の吸込開口38から外部へと外れ、集塵袋34が本体集塵室33から取り外し可能な状態となる。
【００５０】
この状態で、使用者は本体蓋43を開いて本体集塵室33から集塵袋34を取り外し、この集塵袋34を内部に収容した塵埃とともに廃棄する。なお、次回の掃除の際には、未使用の新たな集塵袋34を本体集塵室33に取り付ける。
【００５１】
上述したように、上記第１の実施形態によれば、筒部42と本体集塵室33との間を気密に閉塞するとともに、筒部42を本体吸込口部41に対して付勢するシールカバー66を備えることにより、筒部42を付勢する部材を別途配置することなく、シールカバー66を付勢手段として共用でき、構成を簡略化できるとともに、シール構造の簡素化によって、管部12a，12bの接続管部15a，15bを挿脱する際の各種シールと筒部42との摺動抵抗を抑制でき、筒部42の動作が軽快となる。
【００５２】
次に、第２の実施形態を図５ないし図８を参照して説明する。なお、上記第１の実施形態と同様の構成および作用については、同一符号を付してその説明を省略する。
【００５３】
この第２の実施形態は、上記第１の実施形態において、本体集塵室33に、集塵袋34(図５および図７)と、この集塵袋34とは異なる集塵部としての集塵カップ81(図６および図８)とを選択的に着脱可能とするものである。
【００５４】
図６および図８に示す集塵カップ81は、合成樹脂などにより気密に形成された集塵部本体としてのカップ本体83と、このカップ本体83の内部に配置された図示しない塵埃分離部を備えている。このカップ本体83には、集塵部吸込口としてのカップ吸込口84が前側(上流側)に突出して形成され、かつ、図示しない集塵部排気口としてのカップ排気口が後側(下流側)に形成されている。さらに、カップ吸込口84の前部(上流端)の周縁には、集塵部シール部材としてのカップシール部材87が取り付けられている。そして、この集塵カップ81は、カップ吸込口84から吸い込んだ塵埃を、塵埃分離部にて例えばサイクロン(遠心)分離、あるいは直進慣性分離などにより空気から分離してカップ本体83の内部に捕集し、塵埃を分離した空気をカップ排気口から電動送風機27(図４)の吸込側へと通過させるように構成されている。なお、集塵カップ81に捕集した塵埃は、カップ吸込口84とカップ排気口との間の下部に形成された図示しない塵埃廃棄口から廃棄可能であり、この塵埃廃棄口は、図示しない蓋体により開閉可能となっている。
【００５５】
また、本体吸込口44の下流側(後側)である本体集塵室33内には、規制手段としてのストッパ91が取り付けられている。このストッパ91は、本体集塵室33に集塵カップ81を取り付けた状態では筒部42の移動を規制するとともに、本体集塵室33に集塵袋34を取り付けた状態ではこの集塵袋34の口枠36により位置が規制されて筒部42の本体集塵室33内への移動を可能とするもので、上下方向、すなわち筒部42の移動方向と交差(直交)する方向に沿って移動可能に配置されている。そして、このストッパ91は、掃除機本体13の本体ケース26から本体集塵室33内に突出する支持受け部93に対して弾性手段としてのコイルばね94を介して上方に向けて付勢されている。
【００５６】
また、ストッパ91には、筒部42の筒部摺動部61の下縁部に形成された当接突出部96と当接することで筒部42の移動を規制するための規制部91aが上部に突出して形成され、この規制部91aの後方に、集塵袋34の口枠36が載置される載置部としての切欠部91bが切り欠き形成され、規制部91aの前方に、本体吸込口44の下縁部に後方に向けて突出して形成された当接段部97と当接することでストッパ91の上方位置を規制するための当接部91cが突出して形成されている。さらに、このストッパ91は、支持受け部93により上下方向(移動方向)に沿ってガイドされている。
【００５７】
さらに、筒部42の筒部本体部63の内部には、位置ずれ吸収手段としてのコイルばね98と、このコイルばね98の付勢力を管部12a，12bの接続管部15a，15bへと伝達する伝達手段としての押し板99とが取り付けられている。
【００５８】
コイルばね98は、一端側である後端側が筒部本体部63内の段差部67に支持され、他端側が押し板99に当接して、前後方向に沿って伸縮可能となっている。また、このコイルばね98は、シールカバー66により筒部42を前方、すなわち管部12a，12bの接続管部15a，15b側へと付勢する付勢力よりも大きい付勢力を有している。
【００５９】
また、押し板99は、コイルばね98の前端と筒部42に挿入された接続管部15a，15bの端部との間に介在されるもので、円環状に形成され、筒部本体部63の内周に嵌合してこの筒部本体部63の軸方向である前後方向に摺動可能となっている。
【００６０】
そして、図６および図８に示すように、集塵カップ81を本体集塵室33に装着した場合には、コイルばね94の付勢力により、ストッパ91は当接部91cが当接段部97に当接する位置まで上昇している。このため、ストッパ91の規制部91aが本体吸込口44に対してわずかに突出し、筒部42の当接突出部96の後部に当接可能な位置となって、筒部42の後方への移動を規制する。
【００６１】
この状態で、接続管部15a，15bを本体吸込口部41の接続口51に挿入すると、接続管部15a，15bの端部が挿入口55を介して筒部42の筒部本体部63の内部に挿入される。このとき、筒部本体部63の内周面の筒部シール部材64が接続管部15a，15bの外周面に圧接されることにより、接続管部15a，15b(管部12a，12b)と筒部42とが気密に接続される。また、筒部本体部63内の押し板99に接続管部15a，15bの端部が当接するものの、筒部42は当接突出部96がストッパ91の規制部91aに当接する位置から後方への移動が規制されているため、使用者が接続管部15a，15bを押し込むことによりコイルばね98が収縮する。そして、接続管部15a，15bは、位置決め凸部25a，25bが位置決め部54の前面に当接することにより、挿入位置が規制されることで、筒部42の移動が停止する。この状態で、クランプ23a，23bを接続口51の上縁部に係合させることで、接続管部15a，15b(管部12a，12b)が掃除機本体13に固定される。すなわち、コイルばね98の収縮によって、クランプ23a，23bと接続口51の上縁部との位置ずれを吸収する。なお、筒部42の当接突出部96がストッパ91の規制部91aに当接する位置において、筒部42の筒部摺動部61の端部と集塵カップ81のカップシール部材87とが圧接され、筒部42と集塵カップ81のカップ吸込口84とが気密に接続される。
【００６２】
一方、図５および図７に示すように、集塵袋34を本体集塵室33に装着した場合には、集塵袋34の口枠36の下部がストッパ91の切欠部91bに当接し、このストッパ91をコイルばね94の付勢力に抗して押し下げる。このため、ストッパ91は、規制部91aが本体吸込口44よりも下方に位置し、当接部91cが当接段部97に対して下方に離間される。したがって、筒部42の後方への移動の規制が解除される。
【００６３】
この状態で、接続管部15a，15bを本体吸込口部41の接続口51に挿入すると、接続管部15a，15bの端部が挿入口55を介して筒部42の筒部本体部63の内部に挿入される。このとき、筒部本体部63の内周面の筒部シール部材64が接続管部15a，15bの外周面に圧接されることにより、接続管部15a，15b(管部12a，12b)と筒部42とが気密に接続され、筒部本体部63内の押し板99に接続管部15a，15bの端部が当接することにより、コイルばね98を介して筒部42が接続管部15a，15bの長さに応じてシールカバー66の付勢に抗して後方へと押し込まれて移動し、シールカバー66が収縮する。そして、筒部42の筒部摺動部61の端部は、集塵袋34の口枠36の吸込開口38からシール弁39を後方(袋体37の内方)へと可撓変形させつつ袋体37の内部へと挿入される。すなわち、筒部42は、下流側の一部である筒部摺動部61の後端部(下流端部)が本体吸込口44から本体集塵室33内へと移動する。なお、筒部摺動部61は、本体吸込口44の吸込口シール部材47に対して外周面が摺接することで、本体吸込口44と筒部42との気密が保たれ、シール弁39が外周面に圧接されることで、吸込開口38(集塵袋34)との気密が保たれる。
【００６４】
さらに、接続管部15a，15bは、位置決め凸部25a，25bが位置決め部54の前面に当接することにより、挿入位置が規制されることで、筒部42の移動が停止する。この状態で、クランプ23a，23bを接続口51の上縁部に係合させることで、接続管部15a，15b(管部12a，12b)が掃除機本体13に固定される。
【００６５】
このように、第２の実施形態によれば、本体集塵室33に所定の集塵袋34を除く集塵カップ81を取り付けた状態では筒部42の移動をストッパ91により規制し、このストッパ91が、本体集塵室33に所定の集塵袋34を取り付けた状態ではこの集塵袋34の口枠36により位置が規制されて筒部42の本体集塵室33内への移動を可能とすることにより、集塵袋34と集塵カップ81とを使い分けるなどの用途において、筒部42などの構成を共通化でき、光センサ68も影響なく使用できる。
【００６６】
また、集塵カップ81を本体集塵室33に取り付けた場合には、筒部42を本体集塵室33側へと突出させないことにより、集塵カップ81を本体集塵室33から容易に取り出しできる。
【００６７】
そして、以上説明した各実施形態によれば、管部12の一端側が挿入されることで本体集塵室33内へと突出するように移動するとともに、管部12の一端側を取り外した状態で本体吸込口部41内へと収納される筒部42に光センサ68を配置したことにより、接続管部15a，15bの長さが互いに異なる管部12a，12bに対しても設計変更することなく光センサ68を簡単な構成で配置できる。すなわち、共通の構成として有する筒部42に光センサ68を配置することで、いずれの管部12a，12bにも対応しつつ、光センサ68を含む光センサ68の周囲の構成を共通化して簡略化できる。
【００６８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
11    電気掃除機
12    風路形成体としての管部
13    掃除機本体
27    電動送風機
33    集塵室としての本体集塵室
34    集塵袋
36    口枠
41    本体吸込口部
42    筒部
66    シール手段としてのシールカバー
68    光センサ
71    発光部
72    受光部
81    集塵部としての集塵カップ
91    規制手段としてのストッパ
【図１】
2012050573.tif 000003
【図２】
2012050573.tif 000004
【図３】
2012050573.tif 000005
【図４】
2012050573.tif 000006
【図５】
2012050573.tif 000007
【図６】
2012050573.tif 000008
【図７】
2012050573.tif 000009
【図８】
2012050573.tif 000010